(57)【要約】      （修正有）【課題】有価媒体の様々なデザインに応じて、消し込み印を効果的に印字することができるとともに、有価媒体に対する消し込み処理に要する時間を、短縮することができる有価媒体処理装置および有価媒体処理方法を提供する。【解決手段】有価媒体処理装置は、識別部２０により識別が行われた有価媒体に、選択的に印刷処理を行う印刷部７５と、印刷部７５による複数の印刷パターン情報を有価媒体の種類に関連付けて記憶する記憶部８０と、識別部２０による有価媒体の識別結果に基づいて、記憶部８０に記憶された複数の印刷パターン情報のうち、有価媒体の種類に対応する印刷パターン情報により、有価媒体に消し込みの印刷処理を行うよう、印刷部７５を制御する制御部（例えば、紙幣制御部３６）とを備えている。【選択図】図２
2015176431.tif 000002
【特許請求の範囲】
【請求項１】
有価媒体の搬送を行う搬送部と、
前記搬送部により搬送される有価媒体の識別を行う識別部と、
前記識別部により識別が行われた有価媒体に選択的に印刷処理を行う印刷部と、
前記印刷部による複数の印刷パターン情報を有価媒体の種類に関連付けて記憶する記憶部と、
前記識別部による有価媒体の識別結果に基づいて、前記記憶部に記憶された複数の印刷パターン情報のうち有価媒体の種類に対応する印刷パターン情報により有価媒体に消し込みの印刷処理を行うよう前記印刷部を制御する制御部と、
を備えた、有価媒体処理装置。
【請求項２】
前記制御部は、前記識別部による有価媒体の識別結果に基づいて、前記印刷部により有価媒体に消し込みの印刷処理を行うか否かの制御を行うことができるようになっている、請求項１記載の有価媒体処理装置。
【請求項３】
前記制御部は、前記識別部により識別が行われた有価媒体が紙幣である場合には、当該紙幣に前記印刷部による印刷処理を行わないようになっている、請求項２記載の有価媒体処理装置。
【請求項４】
前記制御部は、前記識別部により識別が行われた有価媒体が商品券である場合には、当該有価媒体の種類に関連付けて記憶される前記印刷パターン情報に基づいて、前記印刷部により当該商品券に消し込みの印刷処理を行うようになっている、請求項２または３記載の有価媒体処理装置。
【請求項５】
前記制御部は、前記識別部により識別が行われた有価媒体が商品券である場合でも、予め記憶される印刷対象外条件に一致するときには、当該商品券に前記印刷部による消し込みの印刷処理を行わないようになっている、請求項４記載の有価媒体処理装置。
【請求項６】
前記記憶部には、前記印刷パターン情報として、前記印刷部によって行われる消し込みの印刷内容および印刷位置のうち少なくとも一方のものが記憶されるようになっている、請求項１乃至５のいずれか一項に記載の有価媒体処理装置。
【請求項７】
前記記憶部には、有価媒体の種類と前記搬送部による有価媒体の搬送先との関係が有価媒体の種類毎に記憶されるようになっており、
前記制御部は、前記識別部による有価媒体の識別結果に基づいて、前記識別部により識別が行われた有価媒体を、前記記憶部に記憶された有価媒体の種類に対応する搬送先に搬送するよう前記搬送部を制御するようになっている、請求項１乃至６のいずれか一項に記載の有価媒体処理装置。
【請求項８】
前記有価媒体処理装置により有価媒体が処理される月日に関する情報を取得する月日情報取得部を更に備え、
前記制御部は、前記月日情報取得部により取得された日付に関する情報を有価媒体に印刷するよう前記印刷部を制御するようになっている、請求項１乃至７のいずれか一項に記載の有価媒体処理装置。
【請求項９】
前記制御部は、処理される有価媒体が持ち込まれたレジや店舗を特定する店舗等特定情報、有価媒体を受け付けた担当者を特定する受付担当者情報、あるいは有価媒体を前記有価媒体処理装置で処理する担当者を特定する操作担当者情報の少なくとも一つを有価媒体に印刷するよう前記印刷部を制御するようになっている、請求項１乃至８のいずれか一項に記載の有価媒体処理装置。
【請求項１０】
前記店舗等特定情報、前記受付担当者情報あるいは前記操作担当者情報の少なくとも一つを入力するための入力手段を更に備え、
前記制御部は、前記入力手段により入力された情報に基づいて、前記店舗等特定情報、前記受付担当者情報あるいは前記操作担当者情報の少なくとも一つを有価媒体に印刷するよう前記印刷部を制御するようになっている、請求項９記載の有価媒体処理装置。
【請求項１１】
前記印刷部はプリンタからなる、請求項１乃至１０のいずれか一項に記載の有価媒体処理装置。
【請求項１２】
前記印刷部は、毎秒３枚以上の有価媒体に消し込みの印刷処理を行うことができるようになっている、請求項１乃至１１のいずれか一項に記載の有価媒体処理装置。
【請求項１３】
消し込みの印刷処理に係る複数の印刷パターン情報を有価媒体の種類に関連付けて記憶部に予め記憶させておく工程と、
有価媒体の搬送を行う工程と、
搬送される有価媒体の識別を行う工程と、
有価媒体の識別結果に基づいて、前記記憶部に記憶された複数の印刷パターン情報のうち有価媒体の種類に対応する印刷パターン情報により有価媒体に消し込みの印刷処理を行う工程と、
を備えた、有価媒体処理方法。
【発明の詳細な説明】
【技術分野】
【０００１】
本発明は、紙幣、硬貨、商品券等の有価媒体の処理を行う有価媒体処理装置および有価媒体処理方法に関する。
【背景技術】
【０００２】
レジ釣銭機等から回収された商品券や小切手等の商品券類シートが入金される商品券類処理機において、商品券類処理機の機体内に投入されて識別部により識別された商品券類シートに対してインクローラにより使用済み印（消し込み印）が印字されるものが知られている（例えば、特許文献１参照）。このような商品券類処理機を用いた場合には、当該商品券類処理機により処理された商品券類シートにおいて視覚的にも使用済みであることを明示することで、その後は商品券類シートを商品券類処理機の管理側で廃棄可能としている。また、誤って、あるいは不正使用を目的として、使用済みの商品券類シートが持ち出されても、使用済みであることが明らかなので、取引に使用される可能性は低い。
【先行技術文献】
【特許文献】
【０００３】
【特許文献１】特許第５１２４３０９号公報
【発明の概要】
【発明が解決しようとする課題】
【０００４】
上述のように、特許文献１に開示されるような従来の商品券類処理機を用いて商品券類シートに対してインクローラにより使用済み印を印字する方法では、印字内容や印字位置が固定されている為、商品券類シートの種類によっては印字内容（消し込み印）を判別できない場合があるという問題があった。具体的には、商品券類シートの面上のインクローラに対向する位置に最初から濃い色の印刷が施されていた場合、消し込み印が見難くなってしまう。また、商品券類シートに対してインクローラを接触／離間させることにより使用済み印を印字するようになっているが、このようなインクローラを移動させる方式は切り替え速度が遅い為（１秒に１回程度）、識別部による商品券類シートの識別結果に対する応答性が悪く、商品券類シートの処理速度を向上させることができなかったため商品券類シートの処理に時間がかかってしまうという問題があった。とりわけ、紙幣等の、使用済み印を印字しないような紙葉類を商品券類シートに混合させて入金処理を行う場合には、インクローラの駆動に時間がかかるため処理速度が大幅に低下してしまうという問題があった。更に、このようなインクローラを用いた消し込み機構では、当該インクローラに対するインクの補充作業が面倒であり、メンテナンス性が悪いという問題があった。
【０００５】
本発明は、このような点を考慮してなされたものであり、有価媒体の様々なデザインに応じて消し込み印を効果的に印字することができるとともに有価媒体に対する消し込み処理に要する時間を短縮することができる有価媒体処理装置および有価媒体処理方法を提供することを目的とする。
【課題を解決するための手段】
【０００６】
本発明の有価媒体処理装置は、有価媒体の搬送を行う搬送部と、前記搬送部により搬送される有価媒体の識別を行う識別部と、前記識別部により識別が行われた有価媒体に選択的に印刷処理を行う印刷部と、前記印刷部による複数の印刷パターン情報を有価媒体の種類に関連付けて記憶する記憶部と、前記識別部による有価媒体の識別結果に基づいて、前記記憶部に記憶された複数の印刷パターン情報のうち有価媒体の種類に対応する印刷パターン情報により有価媒体に消し込みの印刷処理を行うよう前記印刷部を制御する制御部と、を備えたことを特徴とする。
【０００７】
このような有価媒体処理装置によれば、消し込みの印刷処理に係る複数の印刷パターン情報を有価媒体の種類に関連付けて記憶部に予め記憶させておき、有価媒体の識別結果に基づいて、記憶部に記憶された複数の印刷パターン情報のうち有価媒体の種類に対応する印刷パターン情報により有価媒体に消し込みの印刷処理を行うことにより、有価媒体の様々なデザインに応じて消し込み印を効果的に印字することができるとともに、従来技術のようにインクローラにより消し込み印を有価媒体に印字する方法と比較して有価媒体に対する消し込み処理に要する時間を短縮することができる。
【０００８】
本発明の有価媒体処理装置においては、前記制御部は、前記識別部による有価媒体の識別結果に基づいて、前記印刷部により有価媒体に消し込みの印刷処理を行うか否かの制御を行うことができるようになっていてもよい。
【０００９】
この際に、前記制御部は、前記識別部により識別が行われた有価媒体が紙幣である場合には、当該紙幣に前記印刷部による印刷処理を行わないようになっていてもよい。
【００１０】
また、前記制御部は、前記識別部により識別が行われた有価媒体が商品券である場合には、当該有価媒体の種類に関連付けて記憶される前記印刷パターン情報に基づいて、前記印刷部により当該商品券に消し込みの印刷処理を行うようになっていてもよい。
【００１１】
この際に、前記制御部は、前記識別部により識別が行われた有価媒体が商品券である場合でも、予め記憶される印刷対象外条件に一致するときには、当該商品券に前記印刷部による消し込みの印刷処理を行わないようになっていてもよい。
【００１２】
本発明の有価媒体処理装置においては、前記記憶部には、前記印刷パターン情報として、前記印刷部によって行われる消し込みの印刷内容および印刷位置のうち少なくとも一方のものが記憶されるようになっていてもよい。
【００１３】
本発明の有価媒体処理装置においては、前記記憶部には、有価媒体の種類と前記搬送部による有価媒体の搬送先との関係が有価媒体の種類毎に記憶されるようになっており、前記制御部は、前記識別部による有価媒体の識別結果に基づいて、前記識別部により識別が行われた有価媒体を、前記記憶部に記憶された有価媒体の種類に対応する搬送先に搬送するよう前記搬送部を制御するようになっていてもよい。
【００１４】
本発明の有価媒体処理装置は、前記有価媒体処理装置により有価媒体が処理される月日に関する情報を取得する月日情報取得部を更に備え、前記制御部は、前記月日情報取得部により取得された日付に関する情報を有価媒体に印刷するよう前記印刷部を制御するようになっていてもよい。
【００１５】
本発明の有価媒体処理装置においては、前記制御部は、処理される有価媒体が持ち込まれたレジや店舗を特定する店舗等特定情報、有価媒体を受け付けた担当者を特定する受付担当者情報、あるいは有価媒体を前記有価媒体処理装置で処理する担当者を特定する操作担当者情報の少なくとも一つを有価媒体に印刷するよう前記印刷部を制御するようになっていてもよい。
【００１６】
この場合、本発明の有価媒体処理装置は、前記店舗等特定情報、前記受付担当者情報あるいは前記操作担当者情報の少なくとも一つを入力するための入力手段を更に備え、前記制御部は、前記入力手段により入力された情報に基づいて、前記店舗等特定情報、前記受付担当者情報あるいは前記操作担当者情報の少なくとも一つを有価媒体に印刷するよう前記印刷部を制御するようになっていてもよい。
【００１７】
本発明の有価媒体処理装置においては、前記印刷部はプリンタからなっていてもよい。
【００１８】
本発明の有価媒体処理装置においては、前記印刷部は、毎秒３枚以上の有価媒体に消し込みの印刷処理を行うことができるようになっていてもよい。
【００１９】
本発明の有価媒体処理方法は、消し込みの印刷処理に係る複数の印刷パターン情報を有価媒体の種類に関連付けて記憶部に予め記憶させておく工程と、有価媒体の搬送を行う工程と、搬送される有価媒体の識別を行う工程と、有価媒体の識別結果に基づいて、前記記憶部に記憶された複数の印刷パターン情報のうち有価媒体の種類に対応する印刷パターン情報により有価媒体に消し込みの印刷処理を行う工程と、を備えたことを特徴とする。
【００２０】
このような有価媒体処理方法によれば、消し込みの印刷処理に係る複数の印刷パターン情報を有価媒体の種類に関連付けて記憶部に予め記憶させておき、有価媒体の識別結果に基づいて、記憶部に記憶された複数の印刷パターン情報のうち有価媒体の種類に対応する印刷パターン情報により有価媒体に消し込みの印刷処理を行うことにより、有価媒体の様々なデザインに応じて消し込み印を効果的に印字することができるとともに、従来技術のようにインクローラにより消し込み印を有価媒体に印字する方法と比較して有価媒体に対する消し込み処理に要する時間を短縮することができる。
【発明の効果】
【００２１】
本発明の有価媒体処理装置および有価媒体処理方法によれば、有価媒体の様々なデザインに応じて消し込み印を効果的に印字することができるとともに有価媒体に対する消し込み処理に要する時間を短縮することができる。
【図面の簡単な説明】
【００２２】
【図１】本発明の実施の形態における有価媒体処理装置の内部構成の概略を模式的に示す概略構成図である。
【図２】図１に示す有価媒体処理装置の制御系の構成を示す機能ブロック図である。
【図３】図１に示す有価媒体処理装置の印刷部により商品券に印刷される消し込み印に係る印刷パターンの設定項目および印刷内容を示す図である。
【図４】図１に示す有価媒体処理装置の印刷部により商品券に印刷される消し込み印の様々な例を示す図である。
【図５】図１に示す有価媒体処理装置の印刷部により商品券に印刷される消し込み印の例を示す図である。
【図６】図１に示す有価媒体処理装置による紙葉類の入金処理方法を示すフローチャートである。
【図７】図１に示す有価媒体処理装置において印刷部による印刷内容を設定するときの表示・操作部の表示画面を示す図である。
【図８】図１に示す有価媒体処理装置において印刷部による印刷内容を設定するときの表示・操作部の表示画面を示す図である。
【図９】図１に示す有価媒体処理装置において初期設定を行うときの表示・操作部の表示画面を示す図である。
【図１０】変形例に係る有価媒体処理装置における硬貨の処理を行う硬貨処理部の硬貨搬送分類機構、硬貨一時保留部、硬貨返却箱、硬貨収納部等の構成を示す構成図である。
【図１１】図１０に示す硬貨処理部の硬貨搬送分類機構の上面図である。
【図１２】図１０および図１１に示す硬貨搬送分類機構における選別部材の構成の詳細を示す上面図である。
【図１３】図１０乃至図１２に示す硬貨搬送分類機構の側面図である。
【図１４】変形例に係る有価媒体処理装置における硬貨の様々な分類パターンを示す図である。
【図１５】店舗のフロント領域の精算所に設置されたレジユニットの構成を示す斜視図である。
【図１６】図１５に示すレジユニットにおける紙幣釣銭機の内部構成の概略を示す概略構成図である。
【発明を実施するための形態】
【００２３】
以下、図面を参照して本発明の実施の形態について説明する。図１乃至図９は、本実施の形態による有価媒体処理装置を示す図である。このうち、図１は、本実施の形態における有価媒体処理装置の内部構成の概略を模式的に示す概略構成図であり、図２は、図１に示す有価媒体処理装置の制御系の構成を示す機能ブロック図である。また、図３は、図１に示す有価媒体処理装置の印刷部により商品券に印刷される消し込み印に係る印刷パターンの設定項目および印刷内容を示す図である。また、図４および図５は、図１に示す有価媒体処理装置の印刷部により商品券に印刷される消し込み印の様々な例を示す図である。また、図６は、図１に示す有価媒体処理装置による紙葉類の入金処理方法を示すフローチャートである。また、図７および図８は、図１に示す有価媒体処理装置において印刷部による印刷内容を設定するときの表示・操作部の表示画面を示す図であり、図９は、図１に示す有価媒体処理装置において初期設定を行うときの表示・操作部の表示画面を示す図である。
【００２４】
図１および図２に示すように、本実施の形態による有価媒体処理装置１００は、紙幣や商品券を含む紙葉類が投入される投入部１０と、投入された紙葉類の各々を識別する識別部２０と、識別された紙葉類を搬送しながら４種別に分類する搬送分類機構３０と、分類された紙葉類が一時的に集積される４つの集積部４１〜４４と、４つの集積部４１〜４４の一部である２つの集積部４３、４４にそれぞれ対応して設けられた２つの収納部５３、５４とを備えている。
【００２５】
投入部１０は、紙葉類ホッパとして構成されており、投入された紙葉類（紙幣／商品券）を受け入れて１枚ずつ繰出するようになっている。
【００２６】
識別部２０は、イメージセンサを有しており、紙幣／商品券の区別の他、各紙幣の金種や、各商品券の種別等を識別するようになっている。商品券の種別の識別とは、当該店舗（およびそのチェーン店舗）で発行された商品券／他社で発行された商品券の区別や、当該店舗において処分可能な商品券／他の管理センターへの回収が必要な商品券の区別や、使用期限内の有効な商品券／使用期限切れの無効な商品券の区別等である。
【００２７】
搬送分類機構３０は、紙葉類を搬送する搬送ベルト機構３５と、搬送路を切り換えるための３つの切換機構３１〜３３と、これらの搬送ベルト機構３５や３つの切換機構３１〜３３を制御する紙幣制御部３６とを有している。そして、紙幣制御部３６が識別部２０による識別結果に基づいて３つの切換機構３１〜３３を制御することによって、識別された紙葉類をそれぞれ対応する４つの集積部４１〜４４に分類して搬送するようになっている。
【００２８】
第１の集積部４１は、紙葉類リジェクト部として構成されており、リジェクト対象の紙葉類が集積されるようになっている。第１の集積部４１（紙葉類リジェクト部）は、常時外部に開放されており、常時外部からリジェクト対象の紙葉類を取り出し可能となっている。
【００２９】
第２の集積部４２は、紙葉類スタッカ部として構成されており、１００枚程度までの紙葉類が集積されるようになっている。第２の集積部４２（紙葉類スタッカ部）は、シャッタ４２ｓを介して外部からアクセス可能となっており、シャッタ４２ｓの開放時に外部から紙葉類を取り出し可能となっている。もっとも、シャッタ４２ｓの設置を省略することも可能である。その場合は、第１の集積部４１（紙葉類リジェクト部）と同様に、常時外部からアクセス可能（紙葉類を取り出し可能）となる。
【００３０】
第３の集積部４３および第４の集積部４４は、それぞれ紙葉類一時保留部Ａ、Ｂとして構成されており、１００枚程度の紙葉類が集積されるようになっている。そして、有価媒体処理装置１００の操作者による承認の後には、紙葉類一時保留部Ａ、Ｂの底面が開放されるようになっており、一時保留されていた紙葉類が対応する収納部５３、５４に送り込まれるようになっている。また、有価媒体処理装置１００の操作者によって非承認とされた後には、紙葉類一時保留部Ａ、Ｂが有価媒体処理装置１００の前方へ引き出し可能となっており、一時保留されていた紙葉類を有価媒体処理装置１００の前方から取り出し可能となっている。
【００３１】
２つの収納部５３、５４は、２つの集積部４３、４４に対応して設けられており、紙葉類を収納可能なカセットから構成されている。各カセットは、収納された紙葉類の回収条件を個別に設定可能となっており、設定された回収条件が満たされた場合にのみ有価媒体処理装置１００の外部からアクセス可能となっている。
【００３２】
例えば、２つの収納部５３、５４の少なくとも一つに対して設定される回収条件は、有価媒体処理装置１００が設置される店舗（の操作者）が紙葉類の回収を許可されているという条件とされ、２つの収納部５３、５４の少なくとも他の一つに対して設定される回収条件は、紙葉類の回収業務を委託される警送業者が紙葉類の回収を許可されているという条件とされ得る。このように回収条件が設定されることにより、店舗自身による回収作業と、警送業者による回収作業とを、それぞれ個別に設定して管理することが可能である。
【００３３】
本実施の形態による有価媒体処理装置１００では、各収納部５３、５４への有価媒体処理装置１００の外側からのアクセスを制限する構成として、図１および図２に示すように、公知のロック機構６３、６４と、当該ロック機構６３、６４を制御するロック制御部６５とが用いられるようになっている。ロック制御部６５には、ターミナル７０に内蔵された全体制御部７３を介してＩＣカードリーダ７１が接続されており、店舗所属の操作者が保有するＩＣカードをＩＣカードリーダ７１が読み取ったときに、店舗が紙葉類の回収を許可されていると判断し、そのような回収条件が設定されている収納部５３、５４に対するアクセスが解放される（すなわち、ロックが解放されて、収納部５３、５４が機外へ取出し可能となる）。一方、警送業者所属の操作者が保有するＩＣカードをＩＣカードリーダ７１が読み取ったときに、当該警送業者が紙葉類の回収を許可されていると判断し、そのような回収条件が設定されている収納部５３、５４に対するアクセスが解放される（すなわち、ロックが解放されて、収納部５３、５４が機外へ取出し可能となる）。
【００３４】
ターミナル７０には、全体制御部７３とＩＣカードリーダ７１とに加えて、タッチパネル等で構成された表示・操作部７２が設けられている。表示・操作部７２は、操作ガイダンスや入金処理時の取引データ等を表示するとともに、操作者の指示入力を受け付けるようになっている。
【００３５】
また、本実施の形態による有価媒体処理装置１００の搬送分類機構３０において、紙葉類の搬送方向における識別部２０の下流側には、商品券を無効化するための消し込みの印刷処理を行う印刷部７５が設けられている。印刷部７５は例えばインクジェットプリンタから構成されており、様々な印刷パターンにより商品券に対して消し込みの印刷処理を行うことができるようになっている。このような印刷部７５により商品券に対して行われる消し込みの印刷処理の詳細については後述する。印刷部７５は、有価媒体処理装置１００の操作面に近接する位置に配置されており、図示されないカバーを開放することにより、インクカートリッジの交換を容易に行うことができる。
【００３６】
また、本実施の形態による有価媒体処理装置１００は、硬貨が投入される硬貨投入部１１０と、投入された硬貨の各々を識別する硬貨識別部１２０と、識別された硬貨を搬送しながら３種別に分類する硬貨搬送分類機構１３０と、分類された硬貨が一時的に集積される３つの硬貨集積部１４１〜１４３と、３つの硬貨集積部１４１〜１４３の一部である２つの硬貨集積部１４２、１４３にそれぞれ対応して設けられた２つの硬貨収納部１５２、１５３とを備えている。
【００３７】
硬貨投入部１１０は硬貨ホッパとして構成されており、投入された硬貨を受け入れて１枚ずつ繰出するようになっている。
【００３８】
硬貨識別部１２０は磁気センサ等を有しており、硬貨の真偽の区別の他、各硬貨の金種を識別するようになっている。
【００３９】
硬貨搬送分類機構１３０は、硬貨制御部１３６によって制御されるソレノイド付き選別部材を有する強制選別機構によって構成されており、選別された硬貨を３つの硬貨集積部１４１〜１４３に分類して搬送するようになっている。ここで、硬貨搬送分類機構１３０は、振り分ける硬貨の種別を任意に設定できるようになっている。
【００４０】
第１の硬貨集積部１４１は硬貨リジェクト部として構成されており、リジェクト対象の硬貨が集積されるようになっている。第１の硬貨集積部１４１（硬貨リジェクト部）に集積された硬貨は、常時外部から取り出し可能となっている。
【００４１】
第２の硬貨集積部１４２および第３の硬貨集積部１４３は、それぞれ硬貨一時保留部として構成されており、それぞれに１００枚程度までの硬貨が集積されるようになっている。そして、有価媒体処理装置１００の操作者による承認の後には、硬貨一時保留部の枠体が移動されるようになっており、一時保留されていた硬貨が対応する硬貨収納部１５２、１５３に送り込まれるようになっている。また、有価媒体処理装置１００の操作者によって非承認とされた後には、硬貨一時保留部の底板が退避し、一時保留されていた硬貨が当該硬貨一時保留部の下方の硬貨返却箱１４４、１４５に送り込まれ、当該硬貨返却箱１４４、１４５を介して硬貨が取り出し可能となっている。
【００４２】
２つの硬貨収納部１５２、１５３は、２つの硬貨集積部１４２、１４３に対応して設けられており、硬貨を収納可能なカセットから構成されている。各硬貨カセットは、収納された硬貨の回収条件を個別に設定可能となっており、設定された回収条件が満たされた場合にのみ有価媒体処理装置１００の外側からアクセス可能となっている。
【００４３】
例えば、２つの硬貨収納部１５２、１５３の少なくとも一つに対して設定される回収条件は、有価媒体処理装置１００が設置される店舗（の操作者）が硬貨の回収を許可されているという条件とされ、２つの硬貨収納部１５２、１５３の少なくとも他の一つに対して設定される回収条件は、硬貨の回収業務を委託される警送業者が硬貨の回収を許可されているという条件とされ得る。このように回収条件が設定されることにより、店舗自身による回収作業と、警送業者による回収作業とを、それぞれ個別に設定して管理することが可能である。
【００４４】
各硬貨収納部１５２、１５３への有価媒体処理装置１００の外側からのアクセスを制限する構成として、図１および図２に示すように、公知のロック機構１６２、１６３と、当該ロック機構１６２、１６３を制御するロック制御部６５とが用いられるようになっている。前述のように、ロック制御部６５にはＩＣカードリーダ７１が接続されており、店舗所属の操作者が所有するＩＣカードをＩＣカードリーダ７１が読み取ったときに、店舗が硬貨の回収を許可されていると判断し、そのような回収条件が設定されている硬貨収納部１５２、１５３に対するアクセスが解放される（すなわち、ロックが解放されて、硬貨収納部１５２、１５３を機外へ取出し可能となる）。一方、警送業者所属の操作者が所有するＩＣカードをＩＣカードリーダ７１が読み取ったときに、警送業者が硬貨の回収を許可されていると判断し、そのような回収条件が設定されている硬貨収納部１５２、１５３に対するアクセスが解放される（すなわち、ロックが解放されて、硬貨収納部１５２、１５３を機外へ取出し可能となる）。
【００４５】
本実施の形態による有価媒体処理装置１００では、下部ユニットの引出操作に対するロック機構１６５と、当該ロック機構１６５を制御するロック制御部６５とが用いられている。すなわち、ロック制御部６５は、５つのロック機構６３、６４、１６２、１６３、１６５を制御するようになっている。
【００４６】
また、本実施の形態による有価媒体処理装置１００には、識別された紙葉類ないし硬貨の各集積部４１〜４４ないし各硬貨集積部１４１〜１４３への分類条件（分類パターン）を記憶しておく記憶部８０がターミナル７０内に設けられている。記憶部８０に記憶された分類条件は、搬送分類機構３０による紙葉類の搬送ないし分類を制御するための紙幣制御部３６、および硬貨搬送分類機構１３０による硬貨の搬送ないし分類を制御するための硬貨制御部１３６に適時に読み出されるようになっている。
【００４７】
記憶部８０は、各収納部５３、５４および各硬貨収納部１５２、１５３に対して設定される回収条件も記憶するようになっており、各収納部５３、５４および各硬貨収納部１５２、１５３への有価媒体処理装置１００の外側からのアクセスの制限／許容を判別して制御するためにロック制御部６５に適時に読み出されるようになっている。
【００４８】
さらに、記憶部８０は、識別部２０による紙葉類の識別のための詳細情報（例えば、識別処理に用いる辞書データ等）を記憶しており、識別部２０に適時に読み出されるようになっている。
【００４９】
また、本実施の形態による有価媒体処理装置１００には、入金処理時の取引データや、締め時／回収時等における集計データをプリントアウトするプリンタ装置９５が設けられている。
【００５０】
さらに、本実施の形態による有価媒体処理装置１００には、外部機器（管理コンピュータ）等と通信可能であり、識別情報や分類条件（分類パターン）を取得したり、入金結果等を送信可能なインターフェース部９６も設けられている。
【００５１】
次に、印刷部７５により商品券に対して行われる消し込みの印刷処理の詳細について以下に説明する。前述したように、本実施の形態では、印刷部７５は例えばインクジェットプリンタから構成されており、様々な印刷パターンにより商品券の表裏両面に対して消し込みの印刷処理を行うことができるようになっている。より詳細には、記憶部８０には、印刷部７５による複数の印刷パターン情報を紙葉類の種類に対応して記憶するようになっている。具体的には、記憶部８０には、印刷パターン情報として、印刷部７５によって行われる消し込みの印刷内容および印刷位置の少なくとも一方のものが記憶されるようになっている。このような印刷パターン情報の詳細については後述する。また、紙幣制御部３６は、識別部２０による紙葉類の識別結果に基づいて、記憶部８０に記憶された複数の印刷パターン情報のうち紙葉類の種類に対応する印刷パターン情報により紙葉類のうち商品券に消し込みの印刷処理を行うよう印刷部７５を制御するようになっている。
【００５２】
ここで、紙幣制御部３６は、識別部２０による紙葉類の識別結果に基づいて、印刷部７５により紙葉類に消し込みの印刷処理を行うか否かの制御を行うことができるようになっている。具体的には、識別部２０により識別が行われた紙葉類が紙幣である場合には、当該紙幣に対して印刷部７５による印刷処理は行われないようになっている。一方、識別部２０により識別が行われた紙葉類が商品券である場合には、当該商品券に対して印刷部７５により印刷処理が行われるようになっている。なお、識別部２０により識別が行われた紙葉類が商品券である場合にも、記憶部８０に記憶された印刷対象外条件（例えば、有効期限切れ券、もぎり券、受け付け対象外券等）に一致するときには、当該商品券に対して印刷部７５による消し込みの印刷処理を行わないようになっている。一方、識別部２０により識別が行われた紙葉類が商品券である場合において、記憶部８０に記憶された印刷対象条件に一致するときには、記憶部８０に記憶された複数の印刷パターン情報のうちこの商品券の種類に対応する印刷パターン情報により当該商品券に対して印刷部７５により消し込みの印刷処理が行われる。具体的には、商品券の発行元によって印刷部７５により商品券に印字される消し込み印の印字内容が異なるようになる（例えば、Ａ社が発行する商品券には消し込み印として「×」印が印刷部７５により印字され、Ｂ社が発行する商品券には消し込み印として「使用済」という文字が印刷部７５により印字される）。
【００５３】
記憶部８０に記憶される印刷パターン情報の詳細について図３を用いて説明する。図３は、印刷部７５により商品券に印刷される消し込み印に係る印刷パターンの設定項目および印刷内容を示す図である。図３に示すように、印刷パターンの設定項目として、Ａ：消し込み印の印字の有無、Ｂ：消し込み印の印字面、Ｃ：消し込み印の印字位置、Ｄ：消し込み印の印字文字の濃さ、Ｅ：消し込み印の印字方向、Ｆ：消し込み印の印字の色、Ｇ：消し込み印の印字の文言、Ｈ：消し込み印の印字文字のサイズ、Ｉ：消し込み印の印字文字のフォント、Ｊ：消し込み印の印字文字の飾り、があり、各々の設定項目に対して印刷内容が設定されるようになっている。このような印刷パターンは、紙葉類の各々の種類に対応して設定されるようになっている。例えば、Ａ社が発行する商品券とＢ社が発行する商品券とで互いに異なる印刷パターン情報を設定することができる。また、記憶部８０には、紙葉類の各々の種類に対応して、Ｋ：紙葉類の搬送収納先、Ｌ：有効期限切れ券の搬送収納先がそれぞれ記憶されるようになっている。
【００５４】
印刷パターンの設定項目における「Ａ：消し込み印の印字の有無」について具体的に説明すると、紙幣に対しては「印字無し」が設定されるとともに、商品券に対しては「印字有り」が設定されるようになっている。なお、商品券における有効期限切れ券、もぎり券、受け付け対象外券については「印字無し」が設定されるようになっている。このように、紙幣制御部３６は、識別部２０により識別が行われた紙葉類が商品券である場合でも、予め記憶される印刷対象外条件（上述した有効期限切れ券、もぎり券、受け付け対象外券等）に一致するときには、当該紙葉類に印刷部７５による消し込みの印刷処理を行わないようになっている。
【００５５】
また、図２に示すように、全体制御部７３には月日情報取得部８２が接続されている。月日情報取得部８２はカレンダー機能を有しており、有価媒体処理装置１００により有価媒体が処理される月日に関する情報を取得するようになっている。本実施の形態では、印刷パターンの設定項目として、月日情報取得部８２により取得された月日に関する情報を印刷部７５が商品券に印刷するか否かの設定が行われるようになっていてもよい。
【００５６】
ここで、記憶部８０に記憶された複数の印刷パターン情報のうち紙葉類の種類に対応する印刷パターン情報によって印刷部７５により商品券に印刷された消し込み印の様々な例を図４に示す。図４（ａ）に示す消し込み印に係る印刷パターン情報は、印字の文言が「回収済」であり、印字の色が黒色であり、印字文字のフォントがゴシック体であり、印字文字のサイズが中であり、消し込み印の印字方向が縦であり、消し込み印の位置が中央であり、印字文字の飾りが太字であり、印字文字の濃さが１００％となっている。また、図４（ｂ）に示す消し込み印に係る印刷パターン情報は、印字の文言が「済」であり、印字の色が赤色（図４の紙面では黒色となっているが実際は赤色）であり、印字文字のフォントが明朝体であり、印字文字のサイズが大であり、消し込み印の印字方向が縦であり、消し込み印の位置が左であり、印字文字の飾りが斜字であり、印字文字の濃さが７５％となっている。
【００５７】
また、図４（ｃ）に示す消し込み印に係る印刷パターン情報は、印字の文言が「済・済・済」であり、印字の色が黒色であり、印字文字のフォントがゴシック体であり、印字文字のサイズが小であり、消し込み印の印字方向が横であり、消し込み印の位置が中央であり、印字文字の飾りが下線であり、印字文字の濃さが２５％となっている。なお、図４（ｃ）に示す消し込み印に係る印刷パターン情報では、「済・済・済」という文言の他に、月日情報取得部８２により取得された、有価媒体処理装置１００により商品券の処理が行われる月日に係る情報も印刷部７５により印刷されるようになっている。また、図４（ｄ）に示す消し込み印に係る印刷パターン情報は、印字の文言が「△△デパート」であり、印字の色が黒色であり、印字文字のフォントがゴシック体であり、印字文字のサイズが小であり、消し込み印の印字方向が横であり、消し込み印の位置が右であり、印字文字の飾りが白抜きであり、印字文字の濃さが１００％となっている。
【００５８】
また、図５も、印刷部７５により商品券に印刷される消し込み印の例を示す図である。図５に示すような中央に様々な文字が印刷された商品券に対して消し込み印の印字を行う際に、インクローラにより消し込み印を印字するような従来の方法では印字位置が商品券の中央に固定されているときに消し込み印が見難くなってしまうおそれがあった。これに対し、本実施の形態による消し込みの印刷処理では印字位置を商品券の中央ではなく左右（図５に示す例では右側）に設定することができるため、商品券に元々印刷されている文字と消し込み印（具体的には、「回収済」という文字）とが重複することがなくなり、消し込み印をより確実に判別することができるようになる。
【００５９】
次に、上述した印刷パターン情報の設定方法について図７乃至図９を用いて説明する。図７は、有価媒体処理装置１００が待機状態にあるときの表示・操作部７２の表示画面である。図７に示すような表示・操作部７２の表示画面には、メニューとして「商品券選別」「回収」「交換」「在高」「電子ジャーナル」「ユーザー設定」「オフ入金」「機器メンテナンス」の各選択肢が表示されている。このような表示・操作部７２の表示画面において操作者がメニューの中から「ユーザー設定」を選択すると、「接続機器設定」「システム設定」「設定一覧印字」の各選択肢が表示・操作部７２の表示画面に表示されるようになる。そして、「システム設定」を選択すると、表示・操作部７２の表示画面が図７に示す画面から図８に示す画面に切り替わる。図８に示す表示・操作部７２の表示画面において、「商品券消込印字濃度」を選択すると、消込印字濃度を「薄い」「標準」「濃い」の中から選択することができるようになる。
【００６０】
また、図９は、有価媒体処理装置１００において初期設定を行うときの表示・操作部７２の表示画面を示す図である。図９に示すような表示・操作部７２の表示画面でも上述した印刷パターン情報の設定を行うことができるようになっている。例えば、「５．商品券消込文字」のメニューにおいて、消し込み印の印字の有無や印字文字の文字内容の設定を行うことができるようになっている。なお、図９に示すような表示・操作部７２の表示画面では、消し込み印の文字内容を複数の候補の中から選択することができるようになっている。
【００６１】
次に、本実施の形態の有価媒体処理装置１００による紙葉類の入金処理方法について図６に示すフローチャートを用いて説明する。
【００６２】
有価媒体処理装置１００において操作者が表示・操作部７２により入金処理開始の指令を入力した後に投入部１０に紙葉類を投入すると（ＳＴＥＰ１の「ＹＥＳ」）、投入部１０から紙葉類が１枚ずつ有価媒体処理装置１００の機体内に繰り出され（ＳＴＥＰ２）、搬送分類機構３０により搬送される紙葉類は識別部２０により識別される（ＳＴＥＰ３）。ここで、識別部２０により識別された紙葉類が商品券である場合には、当該商品券の計数データ（種類別の入金枚数、合計金額等）が加算される（ＳＴＥＰ５）。また、識別部２０による商品券の識別結果に対応する印刷パターンの設定が印字有りの設定である場合には（ＳＴＥＰ６の「ＹＥＳ」）、印刷部７５により商品券に対して消し込みの印刷処理が行われる（ＳＴＥＰ７）。この際に、記憶部８０に記憶された複数の印刷パターン情報のうち識別部２０により識別された商品券の種類に対応する印刷パターン情報により商品券に対して消し込みの印刷処理が行われる。また、印刷部７５としてインクジェットプリンタ等のプリンタを用いることにより、毎秒３枚以上、具体的には例えば毎秒７枚程度の商品券に消し込みの印刷処理を行うことができるようになり、従来技術のようにインクローラにより消し込み印を紙葉類に印字する方法（消し込み速度は毎秒１枚）と比較して紙葉類に対する消し込み処理に要する時間を短縮することができるようになる。一方、識別部２０により識別された商品券が有効期限切れ券、もぎり券、受け付け対象外券等であり印刷対象外条件に一致することにより、識別部２０による商品券の識別結果に対応する印刷パターンの設定が印字無しの設定である場合には（ＳＴＥＰ６の「ＮＯ」）、商品券に対して消し込みの印刷処理は行われない。また、印刷部７５を通過した商品券は、記憶部８０に記憶された搬送収納先に係る情報に基づいて、対応する集積部４１〜４４へ振り分けられる（ＳＴＥＰ９）。
【００６３】
一方、識別部２０により識別された紙葉類が紙幣である場合には、当該紙幣の計数データ（金種別の入金枚数、合計金額等）が加算される（ＳＴＥＰ８）。なお、識別部２０により識別された紙葉類の種類が紙幣であるときの印刷部７５による印刷パターンの設定が印字無しの設定となっていることにより、紙幣に対して消し込みの印刷処理は行われない。また、識別部２０により識別された紙幣は、記憶部８０に記憶された搬送収納先に係る情報に基づいて、対応する集積部４１〜４４へ振り分けられる（ＳＴＥＰ９）。また、識別部２０により識別された紙葉類が正常な紙幣や商品券ではないリジェクト券である場合には、当該リジェクト券の計数データは加算されることなく、また、当該リジェクト券に対して消し込みの印刷処理が行われることなく、紙葉類リジェクト部としての集積部４１に送られるようになる（ＳＴＥＰ１０）。
【００６４】
投入部１０に紙葉類が残っている場合には（ＳＴＥＰ１１の「ＹＥＳ」）、図６のＳＴＥＰ２〜ＳＴＥＰ１０に示す動作が繰り返し行われるようになる。一方、投入部１０に投入された紙葉類が全て有価媒体処理装置１００の機体内に繰り出された後（ＳＴＥＰ１１の「ＮＯ」）、操作者によって表示・操作部７２により承認入力が行われると（ＳＴＥＰ１２の「ＹＥＳ」）、集積部４３、４４に一時保留されていた紙葉類が対応する収納部５３、５４に送り込まれて収納される（ＳＴＥＰ１３）。一方、操作者によって表示・操作部７２により承認入力が行われず代わりに返却入力が行われると（ＳＴＥＰ１２の「ＮＯ」）、集積部４３、４４が有価媒体処理装置１００の前方へ引き出し可能となり、これらの集積部４３、４４に一時保留されていた紙葉類を有価媒体処理装置１００の前方から取り出し可能となる（ＳＴＥＰ１４）。このようにして、有価媒体処理装置１００における一連の紙葉類の入金処理が完了する。
【００６５】
以上のような構成からなる本実施の形態の有価媒体処理装置１００および有価媒体処理方法によれば、記憶部８０は印刷部７５による複数の印刷パターンを紙葉類（有価媒体）の種類に関連付けて記憶するようになっており、紙幣制御部３６は、識別部２０による紙葉類の識別結果に基づいて、記憶部８０に記憶された複数の印刷パターン情報のうち紙葉類の種類に対応する印刷パターン情報により紙葉類に消し込みの印刷処理を行うよう印刷部７５を制御するようになっている。このことにより、紙葉類（具体的には、商品券）の様々なデザインに応じて消し込み印を効果的に印字することができるとともに、従来技術のようにインクローラにより消し込み印を紙葉類に印字する方法と比較して紙葉類に対する消し込み処理に要する時間を短縮することができるようになる。
【００６６】
とりわけ、インクジェットプリンタ等のプリンタからなる印刷部７５により紙葉類に消し込みの印刷処理を行うような有価媒体処理装置１００では、紙幣および商品券を混合状態で投入部１０に投入したときにも、毎秒３枚以上、具体的には例えば毎秒７枚の商品券に消し込みの印刷処理を行うことができるようになる。これに対し、従来技術のようにインクローラにより消し込み印を紙葉類に印字する方法では、紙幣および商品券を混合状態で投入部１０に投入したときには、商品券に対してはインクローラを接触させるが紙幣に対してはインクローラを離間させる必要がありインクローラが頻繁に移動するようになるため、消し込み処理に時間がかかるとともにインクローラの駆動部の消耗が早くなるという問題がある。
【００６７】
また、本実施の形態の有価媒体処理装置１００においては、上述したように、紙幣制御部３６は、識別部２０による紙葉類の識別結果に基づいて、印刷部７５により紙葉類に消し込みの印刷処理を行うか否かの制御を行うことができるようになっている。具体的には、紙幣制御部３６は、識別部２０により識別が行われた紙葉類が紙幣である場合には、当該紙幣に印刷部７５による印刷処理を行わないようになっている。また、紙幣制御部３６は、識別部２０により識別が行われた紙葉類が商品券である場合には、紙葉類の種類に関連付けて記憶される印刷パターン情報に基づいて、印刷部７５により商品券に消し込みの印刷処理を行うようになっている。ここで、紙幣制御部３６は、識別部２０により識別が行われた商品券が商品券である場合でも、予め記憶される印刷対象外条件（例えば、有効期限切れ券、もぎり券、受け付け対象外券等）に一致するときには、当該紙葉類に印刷部７５による消し込みの印刷処理を行わないようになっている。
【００６８】
また、本実施の形態の有価媒体処理装置１００においては、上述したように、記憶部８０には、印刷パターン情報として、印刷部７５によって行われる消し込みの印刷内容および印刷位置のうち少なくとも一方のものが記憶されるようになっている。
【００６９】
また、本実施の形態の有価媒体処理装置１００においては、上述したように、記憶部８０には、紙葉類の種類と搬送分類機構３０による紙葉類の搬送先との関係（図３の設定項目Ｋ参照）が紙葉類の種類毎に記憶されるようになっており、紙幣制御部３６は、識別部２０による紙葉類の識別結果に基づいて、識別部２０により識別が行われた紙葉類を、記憶部８０に記憶された紙葉類の種類に対応する搬送先に搬送するよう搬送分類機構３０を制御するようになっている。
【００７０】
また、本実施の形態の有価媒体処理装置１００においては、上述したように、有価媒体処理装置１００により紙葉類が処理される月日に関する情報を取得する月日情報取得部８２が設けられており、紙幣制御部３６は、月日情報取得部８２により取得された日付に関する情報（図４（ｃ）参照）を紙葉類に印刷するよう印刷部７５を制御するようになっていてもよい。
【００７１】
なお、本実施の形態による有価媒体処理装置１００および有価媒体処理方法は、上述したような態様に限定されることはなく、様々な変更を加えることができる。
【００７２】
例えば、紙幣制御部３６ではなく全体制御部７３が印刷部７５の制御を行うことにより、識別部２０による紙葉類の識別結果に基づいて、記憶部８０に記憶された複数の印刷パターン情報のうち紙葉類の種類に対応する印刷パターン情報により紙葉類に消し込みの印刷処理を行うようになっていてもよい。
【００７３】
また、紙幣制御部３６は、処理される紙幣や商品券等の紙葉類が持ち込まれたレジや店舗を特定する店舗等特定情報、紙葉類を受け付けた担当者を特定する受付担当者情報、あるいは紙葉類を有価媒体処理装置１００で処理する担当者を特定する操作担当者情報の少なくとも一つを、紙葉類（具体的には、商品券）に印刷するよう印刷部７５を制御するようになっていてもよい。なお、店舗等特定情報とは、レジや店舗の名前やレジＩＤ、店舗ＩＤ等のことをいう。また、受付担当者情報とは、レジで紙葉類を受け付けたレジ係の名前や担当者ＩＤのことをいう。また、操作担当者情報とは、有価媒体処理装置１００で紙葉類の入金処理を行った担当者の名前や担当者ＩＤのことをいう。このような店舗等特定情報、受付担当者情報、操作担当者情報は、紙葉類の入金処理開始前に、操作者が保有するＩＣカードをＩＣカードリーダ７１により読み取らせることにより取得されるようになっている。すなわち、ＩＣカードリーダ７１は、店舗等特定情報、受付担当者情報あるいは操作担当者情報の少なくとも一つを入力するための入力手段として機能するようになっている。
【００７４】
また、図６に示すフローチャートでは、識別部２０により識別された紙葉類が正常な紙幣や商品券ではないリジェクト券である場合には、当該リジェクト券に対して印刷部７５により消し込みの印刷処理が行われることなく、紙葉類リジェクト部としての集積部４１に送られるようになっているが、このような態様に限定されることはない。変形例に係る有価媒体処理装置１００では、識別部２０により識別された紙葉類が正常な紙幣や商品券ではないリジェクト券である場合にも、当該リジェクト券に対して印刷部７５により消し込みの印刷処理が行われるようになっていてもよい。この場合には、集積部４１に送られた紙葉類が再び投入部１０にセットされて識別部２０により再識別が行われたときに、印刷部７５により再び消し込みの印刷処理が行われることはない。
【００７５】
また、印刷部７５はインクジェットプリンタ以外のプリンタから構成されていてもよい。例えば、印刷部７５はレーザープリンタから構成されていてもよい。なお、印刷部７５が紙葉類の片面に印刷する機能しか備えていない場合には、裏向きの商品券はリジェクトし、表裏を反転させて再投入することで、表（おもて）面に印字処理を施すことができる。
【００７６】
また、図１等に示す有価媒体処理装置１００では紙葉類用の２つの収納部５３、５４と硬貨用の２つの硬貨収納部１５２、１５３とがそれぞれ設けられているが、これらの収納部の数を更に増やしてもよい。また、紙葉類スタッカ部としての第２の集積部４２の数を２つ以上としてもよい。この場合、分類パターンが増えて、多岐にわたる分類条件を設定することができる。また、硬貨一時保留部としての硬貨集積部１４２、１４３や硬貨返却箱１４４、１４５、硬貨収納部１５２、１５３を金種毎に複数の領域に区分けしてもよい。例えば、硬貨集積部１４２、１４３や硬貨返却箱１４４、１４５、硬貨収納部１５２、１５３をそれぞれ、１円硬貨、５円硬貨、１０円硬貨、５０円硬貨、１００円硬貨、５００円硬貨の各々が収納される６つの領域に区分けしてもよい。
【００７７】
また、上述した有価媒体処理装置１００は、紙幣、硬貨、商品券の入金処理を行う入金機として用いられる態様として説明したが、本発明はこのような態様に限定されることはない。本発明による有価媒体処理装置は、入金処理のみならず出金処理も行うことができる入出金機として用いられるものであってもよい。この場合には、有価媒体処理装置における紙幣や商品券等の紙葉類の処理を行う紙葉類処理部および硬貨の処理を行う硬貨処理部には、それぞれ紙幣や硬貨を受け入れて収納するとともに払出すことが可能な紙幣リサイクル部や硬貨リサイクル部が設置されるようになり、これらの紙幣リサイクル部や硬貨リサイクル部により、釣銭準備金としての紙幣や硬貨が有価媒体処理装置の機体外に投出されるようになる。また、このような有価媒体処理装置では、貨幣の両替処理も行うことができるようになっていてもよい。
【００７８】
また、本実施の形態の有価媒体処理装置１００は、紙幣や商品券等の紙葉類の処理を行う紙葉類処理部および硬貨の処理を行う硬貨処理部を有するものとして説明したが、硬貨処理部の設置が省略され、有価媒体処理装置１００が紙幣や商品券等の紙葉類のみの処理を行うようになっていてもよい。また、本実施の形態による有価媒体処理装置１００が、紙幣のみの入金処理を行う紙幣入金装置や、商品券のみの入金処理を行う商品券入金装置として用いられるようになっていてもよい。
【００７９】
変形例に係る有価媒体処理装置における、硬貨の処理を行う硬貨処理部の構成について図１０乃至図１３を用いて説明する。図１０は、変形例に係る有価媒体処理装置における硬貨処理部の硬貨搬送分類機構、硬貨一時保留部、硬貨返却箱、硬貨収納部等の構成を示す構成図であり、図１１は、図１０に示す硬貨処理部の硬貨搬送分類機構の上面図である。また、図１２は、図１０および図１１に示す硬貨搬送分類機構における選別部材の構成の詳細を示す上面図であり、図１３は、図１０乃至図１２に示す硬貨搬送分類機構の側面図である。なお、図１２および図１３において、硬貨搬送分類機構により搬送される硬貨を参照符号Ｃで示している。
【００８０】
図１０乃至図１３に示す硬貨処理部には、硬貨が投入される硬貨投入部２１０と、投入された硬貨の各々を識別する硬貨識別部２２０と、識別された硬貨を搬送しながら分類する硬貨搬送分類機構２３０と、硬貨識別部２２０によりリジェクト対象の硬貨であると識別された硬貨が送られる硬貨リジェクト部２４１と、分類された硬貨が一時的に集積される硬貨一時保留部としての硬貨集積部２４２と、硬貨を返却する硬貨返却箱２４４と、硬貨集積部２４２から送られた硬貨を収納する２つの硬貨収納部（硬貨カセット）２５２、２５３とがそれぞれ設けられている。
【００８１】
硬貨投入部２１０は硬貨ホッパとして構成されており、投入された硬貨を受け入れて１枚ずつ繰出するようになっている。
【００８２】
硬貨識別部２２０は磁気センサ等を有しており、真偽の区別の他、各硬貨の金種を識別するようになっている。
【００８３】
図１１に示すように、硬貨搬送分類機構２３０には、硬貨を一層一列状態で搬送する循環ベルト２３１が設けられている。また、循環ベルト２３１には、硬貨を押動するピン２３１ａが等間隔で複数設けられている（図１３参照）。この循環ベルト２３１が図１１における反時計回りの方向（すなわち、図１１における矢印方向）に循環移動することにより、硬貨投入部２１０から繰り出された硬貨が各ピン２３１ａにより図１１における右方向に押動されるようになっている。
【００８４】
硬貨搬送分類機構２３０には、当該硬貨搬送分類機構２３０による硬貨の搬送方向（図１０および図１１における右向き方向）に沿って直列に配置された７つのソレノイド付き選別部材２３０ａ〜２３０ｇが設けられている。これらのソレノイド付き選別部材２３０ａ〜２３０ｇにより、硬貨を強制的に選別する強制選別機構が構成されている。ここで、各選別部材２３０ａ〜２３０ｆにより選別される硬貨の金種としてそれぞれ１円硬貨、５円硬貨、１０円硬貨、５０円硬貨、１００円硬貨、５００円硬貨が割り当てられている。また、選別部材２３０ｇは、硬貨識別部２２０によりリジェクト対象であると識別された硬貨を選別するものである。また、このような硬貨搬送分類機構２３０では、各選別部材２３０ａ〜２３０ｆにより選別する硬貨の金種を任意に設定できるようになっている。
【００８５】
また、図１２および図１３に示すように、硬貨搬送分類機構２３０による硬貨の搬送方向における選別部材２３０ａ〜２３０ｇの各々の上流側には、それぞれ、タイミングセンサ２３４および鋼球２３６が設けられている。タイミングセンサ２３４は発光素子および受光素子を有する光センサからなり、発光素子から発せられた光が硬貨により遮光されて受光素子に到達しなくなったときに硬貨が到達したことを検知するようになっている。また、鋼球２３６は図示しないバネ等の弾性部材により硬貨の搬送面２３２（図１３参照）からわずかに上方に間隔をあけるよう吊り下げられており、循環ベルト２３１により搬送される硬貨はこの鋼球２３６により停止させられるようになっている。そして、図１３（ｂ）に示すように鋼球２３６により停止させられた硬貨は、循環ベルト２３１に設けられたピン２３１ａにより押動されることにより、図１３（ｃ）に示すように鋼球２３６を持ち上げて当該鋼球２３６の下にもぐるようになる。このようにして、タイミングセンサ２３４により硬貨が検知される際にこの硬貨はピン２３１ａにより確実に押動された状態となり、硬貨搬送分類機構２３０において搬送される硬貨の間隔が一定の大きさとなる。また、タイミングセンサ２３４により硬貨が到達したことが検知されると、各選別部材２３０ａ〜２３０ｇに割り当てられている硬貨の金種が硬貨識別部２２０により識別された硬貨の金種と一致する場合には各選別部材２３０ａ〜２３０ｇが開くことにより当該硬貨は選別されて下方に落下するようになる。
【００８６】
硬貨リジェクト部２４１は、常時外部からリジェクト対象の硬貨を取り出し可能となっている。
【００８７】
図１０等に示すように、硬貨一時保留部としての硬貨集積部２４２は４つの領域に区分けされている。具体的には、硬貨集積部２４２には、１０円硬貨を集積する１０円硬貨集積領域２４２ｃ、５０円硬貨を集積する５０円硬貨集積領域２４２ｄ、１００円硬貨を集積する１００円硬貨集積領域２４２ｅ、５００円硬貨を集積する５００円硬貨集積領域２４２ｆがそれぞれ設けられている。また、硬貨集積部２４２の各集積領域２４２ｃ〜２４２ｆの上部および底部は開口しているとともに、各集積領域２４２ｃ〜２４２ｆの底部の開口を塞ぐ底板２４２ｐが設けられている。ここで、硬貨集積部２４２の各集積領域２４２ｃ〜２４２ｆには、硬貨識別部２２０により１０円硬貨、５０円硬貨、１００円硬貨、５００円硬貨であると識別されて硬貨搬送分類機構２３０の選別部材２３０ｃ〜２３０ｆにより選別された硬貨が送られるようになっている。
【００８８】
また、硬貨返却箱２４４は６つの領域に区分けされている。具体的には、硬貨返却箱２４４には、１円硬貨を収納する１円硬貨収納領域２４４ａ、５円硬貨を収納する５円硬貨収納領域２４４ｂ、１０円硬貨を収納する１０円硬貨収納領域２４４ｃ、５０円硬貨を収納する５０円硬貨収納領域２４４ｄ、１００円硬貨を収納する１００円硬貨収納領域２４４ｅ、５００円硬貨を収納する５００円硬貨収納領域２４４ｆがそれぞれ設けられている。ここで、硬貨返却箱２４４の１円硬貨収納領域２４４ａおよび５円硬貨収納領域２４４ｂには、硬貨識別部２２０により１円硬貨、５円硬貨であると識別されて硬貨搬送分類機構２３０の選別部材２３０ａ、２３０ｂにより選別された硬貨が直接送られるようになっている。一方、硬貨返却箱２４４の１０円硬貨収納領域２４４ｃ、５０円硬貨収納領域２４４ｄ、１００円硬貨収納領域２４４ｅ、５００円硬貨収納領域２４４ｆには、硬貨集積部２４２が図１０に示す位置から左方向に移動した後に底板２４２ｐが退避することにより各集積領域２４２ｃ〜２４２ｆから１０円硬貨、５０円硬貨、１００円硬貨、５００円硬貨がそれぞれ送られるようになっている。なお、硬貨集積部２４２が図１０に示す位置から左方向に移動するのは、硬貨集積部２４２に硬貨が一時保留された後、有価媒体処理装置の操作者による承認が行われずに返却指令が与えられたときである。
【００８９】
２つの硬貨収納部２５２、２５３は、それぞれ、硬貨を収納可能なカセットから構成されている。各硬貨カセットは、収納された硬貨の回収条件を個別に設定可能となっており、設定された回収条件が満たされた場合にのみ有価媒体処理装置の外側からアクセス可能となっている。ここで、硬貨集積部２４２に硬貨が一時保留された後、有価媒体処理装置の操作者による承認が行われると、硬貨集積部２４２が図１０に示す位置から右方向に移動した後に底板２４２ｐが退避することにより、当該硬貨集積部２４２の各集積領域２４２ｃ〜２４２ｆに一時保留された１０円硬貨、５０円硬貨、１００円硬貨、５００円硬貨が各硬貨収納部２５２、２５３に送られるようになる。
【００９０】
ここで、従来の硬貨処理部における硬貨搬送分類機構では、各金種の硬貨の大きさに対応する開口を硬貨の搬送路に沿って直列に設け、直径の小さい硬貨から順に選別していたが、このような従来の硬貨搬送分類機構では、６金種の硬貨（具体的には、１円硬貨、５円硬貨、１０円硬貨、５０円硬貨、１００円硬貨、５００円硬貨）に対応して６つの開口を設けなければならず、また、硬貨一時保留部も６金種の硬貨に対応して６つの領域に区分けする必要があった。また、搬送路には直径の小さい硬貨の順（具体的には、１円硬貨、５０円硬貨、５円硬貨、１００円硬貨、１０円硬貨、５００円硬貨の順）に６つの開口が設けられていたため、硬貨の分類パターンが固定されてしまうという問題があった。
【００９１】
これに対し、本実施の形態では、ソレノイド付き選別部材２３０ａ〜２３０ｇを有する硬貨搬送分類機構２３０を用いることにより、硬貨搬送分類機構２３０の各選別部材２３０ａ〜２３０ｇにより選別される硬貨の金種を任意で変更できるようになる。例えば金額の小さい１円硬貨、５円硬貨を常時硬貨返却箱２４４により返却するような運用を行う場合には硬貨搬送分類機構２３０により選別された１円硬貨、５円硬貨を硬貨返却箱２４４に直接送るようにすることにより硬貨一時保留部としての硬貨集積部２４２の小型化を図ることができるようになる。すなわち、硬貨一時保留部としての硬貨集積部２４２には、それぞれ１０円硬貨、５０円硬貨、１００円硬貨、５００円硬貨が集積される４つの集積領域２４２ｃ〜２４２ｆを設けるだけでよく、従来技術のように硬貨一時保留部を６金種の硬貨に対応して６つの領域に区分けする必要がなくなる。このことにより、硬貨集積部２４２の小型化が図られるとともに当該硬貨集積部２４２の可動範囲も小さくなるため、硬貨集積部２４２の動作時間を短縮することにより硬貨処理部における入金処理に必要な時間を短縮することができ、また、硬貨処理部全体の省スペース化を図ることができるようになる。また、硬貨搬送分類機構２３０により選別される硬貨の金種を任意で変更できるため、硬貨返却箱２４４の各収納領域２４４ａ〜２４４ｆや硬貨収納部２５２、２５３に収納される硬貨の金種を自由に設定することができるようになり、操作者にとっての利便性を向上させることができるようになる。
【００９２】
図１０乃至図１３に示すような硬貨処理部による硬貨の分類パターンを図１４の表に示す。図１４に示す表では、硬貨返却箱２４４の各収納領域２４４ａ〜２４４ｆをそれぞれ硬貨返却箱Ａ〜Ｆで示しており、また、硬貨収納部２５２、２５３をそれぞれ硬貨カセットＡ、Ｂで示している。図１０乃至図１３に示すような硬貨処理部では、図１４に示すように硬貨搬送分類機構２３０により選別される硬貨の金種を任意で変更できるため、図１４における分類パターンａ〜ｆのような様々な硬貨の分類パターンを設定することができるようになる。
【００９３】
また、本発明による有価媒体処理装置として、店舗のフロント領域（レジが配置される領域）に設置される紙幣釣銭機を適用することができる。このような紙幣釣銭機の構成について図１５および図１６を用いて説明する。
【００９４】
店舗のフロント領域の精算所に設置されたレジユニットは、ＰＯＳレジスタ３００と、硬貨釣銭機３０１と、紙幣釣銭機３０２とを備えており、硬貨釣銭機３０１および紙幣釣銭機３０２は、それぞれ硬貨や紙幣の入出金処理を行うようになっている。なお、紙幣釣銭機３０２は、商品券等の紙幣以外の紙葉類の処理も行うことができるようになっている。  
【００９５】
紙幣釣銭機３０２の構成について図１６を用いて説明する。紙幣釣銭機３０２は、筐体３１０と、この筐体３１０内の略中央部に設けられた環状の周回搬送部３０３ａとを備えている。また、紙幣受入部３１４、３つの紙幣収納部３０６、紙幣払出部３１６、出金リジェクト部３０４、および紙幣回収カセット３０７が、周回搬送部３０３ａを外側から取り囲むように配置されている。
【００９６】
また、紙幣釣銭機３０２の筐体３１０の内部には、紙幣受入部３１４、各紙幣収納部３０６、紙幣払出部３１６、出金リジェクト部３０４、および紙幣回収カセット３０７と、周回搬送部３０３ａとの間をそれぞれ接続する複数の接続搬送部３０３ｂが形成されている。また、周回搬送部３０３ａには紙幣識別部３１１が設けられており、この紙幣識別部３１１は、当該紙幣識別部３１１を通過する紙幣の識別を行うようになっている。
【００９７】
また、周回搬送部３０３ａと各接続搬送部３０３ｂとの間で紙幣の搬送経路を切り換える経路切換部（図示せず）が、周回搬送部３０３ａに沿って配置されている。
【００９８】
図１５および図１６に示すように、筐体３１０の前面には、紙幣受入部３１４の紙幣受入口３１４ａと、紙幣払出部３１６の紙幣取出口３１６ａとがそれぞれ設けられている。また、紙幣回収カセット３０７は筐体３１０に対して着脱可能に設置されている。
【００９９】
紙幣受入部３１４は、投入された紙幣を検知すると駆動され、紙幣受入口３１４ａに挿入された入金紙幣を一括で取り込んで、周回搬送部３０３ａ側へ１枚ずつ繰り出すようになっている。各紙幣収納部３０６は、紙幣識別部３１１の識別結果に基づいて紙幣を金種別に収納する。紙幣払出部３１６は、各紙幣収納部３０６から周回搬送部３０３ａに繰り出された紙幣を紙幣取出口３１６ａより筐体３１０の外部へ放出するようになっている。
【０１００】
出金リジェクト部３０４は、紙幣収納部３０６から繰り出された紙幣のうち、斜行等の搬送異常により紙幣識別部３１１で識別することができない紙幣を出金リジェクト紙幣として収納する。また、紙幣受入部３１４から機体内に取り込まれた紙幣のうち、汚損等により紙幣識別部３１１で識別することができない紙幣は入金リジェクト紙幣として紙幣払出部３１６に返却されるようになっている。
【０１０１】
紙幣回収カセット３０７は筐体３１０の前面から引き出すことにより当該筐体３１０の外部に取り出すことができるようになっている。
【０１０２】
また、図１６に示すように、周回搬送部３０３ａには、商品券を無効化するための消し込みの印刷処理を行う印刷部３７５が設けられている。印刷部３７５は例えばインクジェットプリンタから構成されており、様々な印刷パターンにより商品券に対して消し込みの印刷処理を行うことができるようになっている。
【０１０３】
また、図１５に示すレジユニットには、印刷部３７５による複数の印刷パターン情報を紙葉類の種類に関連付けて記憶する記憶部と、紙幣識別部３１１による紙葉類の識別結果に基づいて、記憶部に記憶された複数の印刷パターン情報のうち紙葉類の種類に対応する印刷パターン情報により紙葉類に消し込みの印刷処理を行うよう印刷部３７５を制御する制御部（図示せず）とがそれぞれ設けられている。これらの記憶部や制御部は紙幣釣銭機３０２に設けられていてもよく、あるいはＰＯＳレジスタ３００に設けられていてもよい。ここで、図１５に示すレジユニットに設けられた制御部は、図１乃至図９に示す有価媒体処理装置１００に設けられた紙幣制御部３６等と同様の制御方法により印刷部３７５の制御を行うようになっている。このことにより、紙幣釣銭機３０２でも、紙葉類（具体的には、商品券）の様々なデザインに応じて消し込み印を効果的に印字することができるとともに、従来技術のようにインクローラにより消し込み印を紙葉類に印字する方法と比較して紙葉類に対する消し込み処理に要する時間を短縮することができるようになる。
【０１０４】
また、上述した有価媒体処理装置では、紙葉類における商品券に対して消し込みの印刷処理が行われるようになっているが、本発明はこのような態様に限定されることはない。本発明に係る有価媒体処理装置および有価媒体処理方法において印刷処理が行われる有価媒体は、商品券以外のもの、具体的には例えば小切手等であってもよい。
【符号の説明】
【０１０５】
１０  投入部
２０  識別部
３０  搬送分類機構
３１〜３３  切換機構
３５  搬送ベルト機構
３６  紙幣制御部
４１  第１の集積部
４２  第２の集積部
４２ｓ  シャッタ
４３  第３の集積部
４４  第４の集積部
５３、５４  収納部
６３、６４  ロック機構
６５  ロック制御部
７０  ターミナル
７１  ＩＣカードリーダ
７２  表示・操作部
７３  全体制御部
７５  印刷部
８０  記憶部
８２  月日情報取得部
９５  プリンタ装置
９６  インターフェース部
１００  有価媒体処理装置
１１０  硬貨投入部
１２０  硬貨識別部
１３０  硬貨搬送分類機構
１３６  硬貨制御部
１４１  第１の硬貨集積部
１４２  第２の硬貨集積部
１４３  第３の硬貨集積部
１４４、１４５  硬貨返却箱
１５２、１５３  硬貨収納部
１６２、１６３、１６５  ロック機構
２１０  硬貨投入部
２２０  硬貨識別部
２３０  硬貨搬送分類機構
２３０ａ〜２３０ｇ  ソレノイド付き選別部材
２３１  循環ベルト
２３１ａ  ピン
２３２  搬送面
２３４  タイミングセンサ
２３６  鋼球
２４１  硬貨リジェクト部
２４２  硬貨集積部
２４２ｃ〜２４２ｆ  集積領域
２４２ｐ  底板
２４４  硬貨返却箱
２４４ａ〜２４４ｆ  収納領域
２５２、２５３  硬貨収納部
３００  ＰＯＳレジスタ
３０１  硬貨釣銭機
３０２  紙幣釣銭機
３０３ａ  周回搬送部
３０３ｂ  接続搬送部
３０４  出金リジェクト部
３０６  紙幣収納部
３０７  紙幣回収カセット
３１０  筐体
３１１  紙幣識別部
３１４  紙幣受入部
３１４ａ  紙幣受入口
３１６  紙幣払出部
３１６ａ  紙幣取出口
３７５  印刷部
【図１】
2015176431.tif 000003
【図２】
2015176431.tif 000004
【図３】
2015176431.tif 000005
【図４】
2015176431.tif 000006
【図５】
2015176431.tif 000007
【図６】
2015176431.tif 000008
【図７】
2015176431.tif 000009
【図８】
2015176431.tif 000010
【図９】
2015176431.tif 000011
【図１０】
2015176431.tif 000012
【図１１】
2015176431.tif 000013
【図１２】
2015176431.tif 000014
【図１３】
2015176431.tif 000015
【図１４】
2015176431.tif 000016
【図１５】
2015176431.tif 000017
【図１６】
2015176431.tif 000018